(57)【要約】【課題】荷物収納装置のセキュリティ性及び利便性を向上させる。【解決手段】荷物収納装置１００は、荷物を収納する荷物収納装置１００であって、荷物を収納するための荷物収納部５４と、荷物収納部５４に荷物を出し入れするための開口を開閉する開閉部である荷物扉２６と、荷物収納装置１００に貼付された二次元コード５６とを備える。二次元コード５６は、荷物収納装置１００を識別するための識別情報と、荷物収納装置１００に関する情報を管理する情報管理サーバに荷物収納装置１００に関する情報を登録するためにアクセスすべきアクセス先を特定するためのアドレス情報とを含む。【選択図】図１６
2020018539.tif 000002
【特許請求の範囲】
【請求項１】
荷物を収納する荷物収納装置であって、
荷物を収納するための収納部と、
前記収納部に荷物を出し入れするための開口を開閉する開閉部と、
前記荷物収納装置に貼付された二次元コードと、
を備え、
前記二次元コードは、前記荷物収納装置を識別するための識別情報と、前記荷物収納装置に関する情報を管理する情報管理サーバに前記荷物収納装置に関する情報を登録するためにアクセスすべきアクセス先を特定するためのアドレス情報とを含む
ことを特徴とする荷物収納装置。
【請求項２】
前記二次元コードは、前記開閉部の内側に貼付されることを特徴とする請求項１に記載の荷物収納装置。
【請求項３】
前記開閉部を施錠するための錠前部と、
前記開閉部を開くための操作を受け付けるための操作部と、
前記開閉部を開くための操作を行う人を撮像する撮像装置と、
前記錠前部の施錠及び解錠を制御する制御部と、
少なくとも前記操作部又は前記撮像装置を覆う外扉と、
を更に備え、
前記二次元コードは、前記外扉の内側に貼付されることを特徴とする請求項１又は２に記載の荷物収納装置。
【請求項４】
前記開閉部を施錠するための錠前部と、
前記開閉部を開くための操作を受け付けるための操作部と、
前記錠前部の施錠及び解錠を制御する制御部と、
を更に備え、
前記二次元コードは、前記開閉部が施錠されていても読み取れる位置に貼付されることを特徴とする請求項１に記載の荷物収納装置。
【請求項５】
請求項１から４のいずれかに記載の荷物収納装置と、
前記情報管理サーバと、
前記荷物収納装置の使用者の端末と、
を備え、
前記使用者の端末は、
前記二次元コードを撮像するための使用者端末撮像装置と、
前記使用者端末撮像装置により撮像された二次元コードに含まれる情報を読み取る解析部と、
前記解析部により読み取られた前記アドレス情報により特定される前記アクセス先にアクセスするための使用者端末通信部と、
前記荷物収納装置に関する情報を前記アクセス先に送信する情報送信部と、
を備え、
前記情報管理サーバは、
複数の荷物収納装置をそれぞれ識別するための複数の識別情報を格納するデータベースと、
前記使用者の端末から前記使用者が使用する荷物収納装置に関する情報を受け付ける受付部と、
前記受付部により受け付けられた前記荷物収納装置に関する情報を、前記荷物収納装置を識別するための識別情報に対応付けて前記データベースに登録する登録部と、
を備えることを特徴とする管理システム。
【請求項６】
前記荷物収納装置へ荷物を配送する配送者の端末を更に備え、
前記配送者の端末は、
前記二次元コードを撮像するための配送者端末撮像装置と、
前記配送者端末撮像装置により撮像された、配送先の荷物収納装置の前記二次元コード、又は、前記二次元コードから読み取られた情報を前記情報管理サーバへ送信して、前記荷物収納装置の認証を要求する認証要求部と、
を備え、
前記情報管理サーバは、
前記荷物収納装置の認証の要求を受け付ける認証要求受付部と、
前記二次元コードから読み取られた情報を前記データベースに照会して前記荷物収納装置を認証し、認証の結果を回答する認証部と、
を備えることを特徴とする請求項５に記載の管理システム。
【請求項７】
前記荷物収納装置への荷物の配送を管理する配送管理サーバを更に備え、
前記配送者の端末は、
前記荷物収納装置に荷物を配送したときに、前記配送者端末撮像装置により撮像された前記荷物収納装置の二次元コード、又は、前記二次元コードから読み取られた情報をログ情報として前記配送管理サーバへ送信する配送記録送信部
を更に備え、
前記配送管理サーバは、
前記ログ情報を含む配送記録を保持する配送記録保持部と、
前記配送者の端末から受信したログ情報を前記配送記録保持部に登録する配送記録登録部と、
を備えることを特徴とする請求項６に記載の管理システム。
【請求項８】
前記配送記録登録部は、前記荷物収納装置から受信した、前記開閉部が開かれたことを示すステータス情報と、前記ログ情報との組を、前記配送記録として前記配送記録保持部に登録することを特徴とする請求項７に記載の管理システム。
【請求項９】
製品に貼付される二次元コードであって、
前記製品を識別するための識別情報と、前記製品に関する情報を管理する情報管理サーバに前記製品に関する情報を登録するためにアクセスすべきアクセス先を特定するためのアドレス情報とを含む
ことを特徴とする二次元コード。
【請求項１０】
請求項９に記載の二次元コードが貼付されたことを特徴とする製品。
【発明の詳細な説明】
【技術分野】
【０００１】
本発明は、荷物収納装置に関し、とくに、配送者により配送された荷物を収納可能な荷物収納装置、その荷物収納装置を利用可能な配送管理システム、及びその荷物収納装置に利用可能な荷物管理プログラムに関する。
【背景技術】
【０００２】
ネット通販の利用増加や共働き・単身世帯の増加に伴い、宅配物が再配達となるケースが増加している。再配達の増加は、社会的な問題にもなっている。この問題の解決策のひとつとして、宅配物等の荷物を収納できる荷物収納装置の戸建てへの普及が期待されている。
【先行技術文献】
【特許文献】
【０００３】
【特許文献１】特開２０１７−１３６１０８号公報
【発明の概要】
【発明が解決しようとする課題】
【０００４】
荷物収納装置を戸建てへ普及させるためには、荷物収納装置のセキュリティ性を十分に確保しつつ、使用者の利便性を向上させる技術が要求される。
【０００５】
本発明は、このような課題に鑑みてなされ、その目的は、荷物収納装置のセキュリティ性及び利便性を向上させる技術を提供することにある。
【課題を解決するための手段】
【０００６】
上記課題を解決するために、本発明のある態様の荷物収納装置は、荷物を収納する荷物収納装置であって、荷物を収納するための収納部と、収納部に荷物を出し入れするための開口を開閉する開閉部と、荷物収納装置に貼付された二次元コードと、を備える。二次元コードは、荷物収納装置を識別するための識別情報と、荷物収納装置に関する情報を管理する情報管理サーバに荷物収納装置に関する情報を登録するためにアクセスすべきアクセス先を特定するためのアドレス情報とを含む。
【０００７】
本発明の別の態様は、管理システムに関する。この管理システムは、荷物収納装置と、情報管理サーバと、荷物収納装置の使用者の端末と、を備える。使用者の端末は、二次元コードを撮像するための使用者端末撮像装置と、使用者端末撮像装置により撮像された二次元コードに含まれる情報を読み取る解析部と、解析部により読み取られたアドレス情報により特定されるアクセス先にアクセスするための使用者端末通信部と、荷物収納装置に関する情報をアクセス先に送信する情報送信部と、を備える。情報管理サーバは、複数の荷物収納装置をそれぞれ識別するための複数の識別情報を格納するデータベースと、使用者の端末から使用者が使用する荷物収納装置に関する情報を受け付ける受付部と、受付部により受け付けられた荷物収納装置に関する情報を、荷物収納装置を識別するための識別情報に対応付けてデータベースに登録する登録部と、を備える。
【０００８】
本発明の別の態様は、二次元コードである。この二次元コードは、製品に貼付される二次元コードであって、製品を識別するための識別情報と、製品に関する情報を管理する情報管理サーバに製品に関する情報を登録するためにアクセスすべきアクセス先を特定するためのアドレス情報とを含む。
【０００９】
本発明の更に別の態様は、製品である。この製品は、上記の二次元コードが貼付されたことを特徴とする。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、荷物収納装置のセキュリティ性及び利便性を向上させる技術を提供することができる。
【図面の簡単な説明】
【００１２】
【図１】第１の実施の形態に係る配送管理システムの構成を示す図である。
【図２】第１の実施の形態に係る荷物収納装置の斜視図である。
【図３】第１の実施の形態に係る荷物収納装置の斜視図である。
【図４】第１の実施の形態に係る荷物収納装置の斜視図である。
【図５】第１の実施の形態に係る操作表示ユニットの構成を示す図である。
【図６】第１の実施の形態に係る荷物収納装置の機能構成を示す図である。
【図７】第１の実施の形態に係る荷物管理方法の手順を示すフローチャートである。
【図８】第１の実施の形態に係る荷物管理方法の手順を示すフローチャートである。
【図９】図８に示したフローチャートにおけるステップＳ１３０の認証処理の詳細を示すフローチャートである。
【図１０】図８に示したフローチャートにおけるステップＳ１６０のステータス更新処理の詳細を示すフローチャートである。
【図１１】図７に示したフローチャートにおけるステップＳ２００の荷受け処理の詳細を示すフローチャートである。
【図１２】第１の実施の形態に係る荷物管理方法の手順を示すフローチャートである。
【図１３】図７に示したフローチャートにおけるステップＳ３００の集荷処理の詳細を示すフローチャートである。
【図１４】図７に示したフローチャートにおけるステップＳ４００の複数荷受け処理の詳細を示すフローチャートである。
【図１５】第２の実施の形態に係る配送管理システムの構成を示す図である。
【図１６】第２の実施の形態に係る荷物収納装置の斜視図である。
【図１７】第２の実施の形態に係る製造者端末の機能構成を示す図である。
【図１８】第２の実施の形態に係る情報管理サーバの機能構成を示す図である。
【図１９】第２の実施の形態に係る配送管理サーバの機能構成を示す図である。
【図２０】第２の実施の形態に係る使用者端末の構成を示す図である。
【図２１】第２の実施の形態に係る配送者端末の構成を示す図である。
【図２２】第２の実施の形態に係る荷物管理方法の手順を示すフローチャートである。
【図２３】第２の実施の形態に係る荷物管理方法の手順を示すフローチャートである。
【図２４】第２の実施の形態に係る荷物管理方法の手順を示すフローチャートである。
【図２５】第２の実施の形態に係る荷物管理方法の手順を示すフローチャートである。
【発明を実施するための形態】
【００１３】
［第１の実施の形態］
図１は、第１の実施の形態に係る配送管理システムの構成を示す。配送管理システム１は、配送者により配送された荷物及び投函物を収納するための荷物収納装置１００と、荷物収納装置１００の使用者が使用する使用者端末２００と、荷物を配送する配送者が使用する配送者端末３００と、荷物の配送を管理する配送管理サーバ４００と、これらの装置の間で通信を行うための通信手段の一例であるインターネット２とを備える。
【００１４】
荷物収納装置１００は、使用者の住居などに設置され、使用者の不在時などに配送された荷物を一時的に収納するための装置である。これにより、使用者は、外出時であっても配送された荷物を受け取ることができるので、使用者の利便性を向上させることができる。また、配送者は、使用者の不在時であっても荷物を配送することができるので、再配送にかかる労力及びコストを大幅に低減させることができる。
【００１５】
荷物収納装置１００は、配送者が荷物を収納することを可能とするために、使用者の住居の外部に設置されるので、配送者以外の人も荷物収納装置１００にアクセスすることができてしまう。したがって、荷物収納装置１００が不正に操作されて内部に収納された荷物が持ち出されるのを抑止するための措置を講じる必要がある。
【００１６】
このような課題を解決するために、本実施の形態の荷物収納装置１００は、荷物を収納するための収納部に荷物が収納されているときには、予め設定された暗証番号を入力しないと収納部の開口を開閉する開閉部を開くことができないように施錠するとともに、開閉部を開くための操作が行われたときに、その操作を行った人を撮像装置により撮像する。これにより、荷物収納装置１００のセキュリティ性を向上させ、荷物が不正に持ち出されるのを抑止することができる。また、使用者が安心して使用することが可能なセキュリティ性の高い荷物収納装置１００を提供することができるので、荷物収納装置１００の普及を促進することができる。
【００１７】
図２〜４は、第１の実施の形態に係る荷物収納装置１００の斜視図である。図２は、外扉を閉じた状態を示し、図３は外扉を開けた状態を示し、図４は、外扉及び２つの内扉を開けた状態を示す。荷物収納装置１００は、玄関先に据え置かれたり、門柱に組み込まれたりする。本実施の形態の荷物収納装置１００は、宅配ボックスの機能とポストの機能を有する。
【００１８】
荷物収納装置１００は、ボックス本体１０と、仕切２０と、取出扉２２と、荷物扉２６と、投函扉２８と、外扉３０と、機能ユニット４０と、を備える。以下、ボックス本体１０に対して外扉３０が設けられる側を前側として説明する。
【００１９】
ボックス本体１０は、前面が開いた四角い箱状に形成される。ボックス本体１０は、天板１１と、底板１２と、右側板１３と、左側板１４と、背板１５と、を含む。
【００２０】
仕切２０は、板状の部材であり、ボックス本体１０の内部を上下に、具体的には上側の投函物収納部５２と下側の荷物収納部５４とに仕切る。
【００２１】
取出扉２２は、この例では右開きとなるようにボックス本体１０に対して取り付けられ、投函物収納部５２から投函物を取り出すための取出口（開口）５２ａを開閉する。なお、取出口５２ａは、機能ユニット４０、右側板１３、左側板１４及び仕切２０により画定される。
【００２２】
第１錠前部２３は、取出扉２２に固定される。第１錠前部２３は、制御装置（後述）からの指示に基づいて取出扉２２を施錠及び解錠する。
【００２３】
荷物扉２６は、この例では右開きとなるようにボックス本体１０に対して取り付けられ、荷物収納部５４に荷物を出し入れするための出し入れ口（開口）５４ａを開閉する。なお、出し入れ口５４ａは、仕切２０、右側板１３、左側板１４及び底板１２で画定される。
【００２４】
第２錠前部２７は、荷物扉２６に固定される。第２錠前部２７は、制御装置（後述）からの指示に基づいて荷物扉２６を施錠及び解錠する。
【００２５】
投函口（図示せず）は、前方に開口した投函口であり、天板１１、右側板１３、左側板１４及び機能ユニット４０により画定される。投函口は、投函物の盗難を抑止するために、例えば指先までしか入らない大きさに形成される。
【００２６】
投函扉２８は、投函口を外側から覆う扉であり、上開きとなるようにボックス本体１０に対して取り付けられる。
【００２７】
機能ユニット４０は、撮像ユニット４２と、操作表示ユニット４４と、スピーカ４１と、マイク４３と、を含む。撮像ユニット４２は、取出扉２２又は荷物扉２６を開くための操作を行った人を撮像する。操作表示ユニット４４は、操作入力を受け付けるためのボタンなどの構成を備える。スピーカ４１及びマイク４３は、後述するように、荷物収納装置１００に荷物を配送しようとする配送者が使用者の使用者端末２００などとの間で通話するために使用される。
【００２８】
撮像ユニット４２は、操作表示ユニット４４を操作する人の顔を明瞭に撮像するために、操作表示ユニット４４の近傍に設けられ、方向、画角、焦点距離などが調整される。これにより、荷物収納装置１００が不正に操作された場合であっても、操作した人の顔を証拠として記録しておくことができるので、荷物収納装置１００のセキュリティ性を向上させることができる。
【００２９】
外扉３０は、少なくとも撮像ユニット４２を覆うための扉であり、この例では右開きとなるようにボックス本体１０に対して取り付けられる。撮像ユニット４２が常に露出していると、監視されているかのような不快感を近隣住人等に与えてしまうところ、外扉３０で撮像ユニット４２を覆うことで、これを抑止できる。
【００３０】
また外扉３０は、好ましくは撮像ユニット４２に加えて荷物扉２６も覆うように構成される。この場合、荷物収納部５４に対して荷物を出し入れするには外扉３０を開くことになり、したがって必然的に撮像ユニット４２が外扉３０に覆われていない状態になる。そのため、荷物扉２６を開くための操作を行う人を確実に撮像できる。
【００３１】
また外扉３０は、好ましくは撮像ユニット４２に加えて操作表示ユニット４４も覆うように構成される。この場合、操作表示ユニット４４は、直射日光や雨風にさらされないように外扉３０に保護されるため、劣化が抑えられる。
【００３２】
図示の例では、外扉３０は、撮像ユニット４２、操作表示ユニット４４及び荷物収納部５４を覆うように構成されている。また、外扉３０が閉じられると、それにともなって取出扉２２及び荷物扉２６が閉じられるように構成されている。
【００３３】
撮像ユニット４２は、荷物収納部５４に収納されている、配送者により配送された荷物（以下、「配送物」ともいう）又は配送者により集荷される荷物（以下、「集荷物」ともいう）や、投函物収納部５２に投函されている投函物が、不正に持ち出されるのを抑止するために、荷物扉２６又は取出扉２２を開くための操作が行われたときに、その操作を行った人を撮像する。
【００３４】
本実施の形態では、取出扉２２又は荷物扉２６を開くために操作表示ユニット４４が操作された時に撮像ユニット４２に撮像を開始させる。これにより、使用者又は配送者が取出扉２２又は荷物扉２６を開こうとした時だけでなく、不正に荷物を持ち出そうとする第三者が取出扉２２又は荷物扉２６を開こうとした時にも、撮像ユニット４２により撮像して記録しておくことができるので、荷物収納装置１００のセキュリティ性をより向上させることができる。
【００３５】
図５は、第１の実施の形態に係る操作表示ユニット４４の構成を示す。操作表示ユニット４４には、複数のボタンと、荷物収納装置１００の状態を示す複数のインジケータが設けられる。
【００３６】
操作表示ユニット４４に設けられるボタンは、例えば、配送者が配送又は集荷のための処理を開始するための配送者用ボタンである「開始」ボタン、使用者が荷物収納部５４に収納した荷物を集荷待ちとするための「集荷」ボタン、取出扉２２の第１錠前部２３又は荷物扉２６の第２錠前部２７を解錠するための設定番号又はパスワードを入力するための解錠操作用ボタンである数字ボタン、操作を確定するための「確定」ボタン、使用者が取出扉２２又は荷物扉２６を開くために操作する使用者用ボタンである「扉」ボタンを含む。これらのボタンには、操作可能なボタンを視覚的に識別可能に提示する提示部として機能するＬＥＤなどの照明が内蔵されており、制御装置により照明のオンオフが制御される。制御装置が操作入力を受け付けるボタンの照明はオンされ、操作入力を受け付けないボタンの照明はオフされる。
【００３７】
操作表示ユニット４４に設けられるインジケータは、例えば、荷物収納装置１００が使用者端末２００を呼び出していることを示す「呼び出し中」、エラーの発生を報知するための「エラー」、荷物収納部５４に収納された荷物が集荷待ちとなっていることを示す「集荷待ち」、「確定」ボタンの押下を促すための「「確定」押す」、取出扉２２の第１錠前部２３及び荷物扉２６の第２錠前部２７の施解錠状態を示す「施錠中」及び「解錠中」のシンボルマーク、投函物収納部５２に投函物が収納されていることを示す「投函物収納中」のマーク、荷物収納部５４に荷物が収納されていることを示す「荷物収納中」のマークを含む。これらのインジケータにも、ＬＥＤなどの照明が内蔵されており、制御装置により照明のオンオフが制御されて、それぞれのインジケータにより情報が示される状態と示されない状態とが切り替えられる。
【００３８】
図６は、第１の実施の形態に係る荷物収納装置１００の機能構成を示す。荷物収納装置１００は、主に、通信装置４７、センサ４８、制御装置６０、及び記憶装置７０を備える。
【００３９】
通信装置４７は、インターネット２を介した他の装置との間の通信を制御する。通信装置４７は、有線又は無線の任意の通信方式により通信を行ってもよい。
【００４０】
センサ４８は、荷物収納装置１００の状態を検知するための各種のセンサを含む。センサ４８は、例えば、外扉３０、取出扉２２、及び荷物扉２６の開閉を検知する扉開閉センサや、投函物収納部５２及び荷物収納部５４に荷物が収納されているか否か、及び収納されている荷物の重量を検知するロードセルや、荷物収納装置１００の近傍に人が存在することを検知する人感センサなどを含む。
【００４１】
記憶装置７０は、制御装置６０により使用されるプログラム、データなどを記憶する。記憶装置７０は、半導体メモリ、ハードディスクなどであってもよい。記憶装置７０は、ステータス保持部７１、撮像画像保持部７２、設定番号保持部７５、及び通信情報保持部７６を備える。
【００４２】
ステータス保持部７１は、荷物収納装置１００の状態を示すステータス情報を保持する。ステータス情報は、荷物が荷物収納部５４に収納されていない状態であることを示す「荷物なし」、配送物が荷物収納部５４に収納されている状態であることを示す「荷受け中」、集荷物が荷物収納部５４に収納されている状態であることを示す「集荷待ち」を含む。後述するように、荷物収納部５４に複数の荷物が収納される場合もあるが、全ての荷物が配送物であれば、配送者が異なる配送物が混在していても「荷受け中」とし、全ての荷物が集荷物であれば、集荷者が異なる荷物が混在していても「集荷待ち」とする。配送物と集荷物が混在している場合は、「荷受け中」かつ「集荷待ち」とする。
【００４３】
撮像画像保持部７２は、撮像ユニット４２が撮像した画像を保持する。
【００４４】
設定番号保持部７５は、取出扉２２の第１錠前部２３及び荷物扉２６の第２錠前部２７を解錠するために入力すべき設定番号を保持する。設定番号保持部７５は、使用者を認証するための設定番号と、配送者を認証するために使用者により設定されたパスワードを保持する。後述するように、荷物収納部５４に収納された集荷物を配送者が集荷する際には、操作表示ユニット４４又は使用者端末２００を介して設定されたパスワードが設定番号保持部７５に保持される。パスワードは、配送管理サーバ４００を介して配送者端末３００に通知され、配送者が正しいパスワードを操作表示ユニット４４から入力すると、第２錠前部２７が解錠されて荷物扉２６が開かれる。パスワードは、使用者によりいったん設定されると、別のパスワードに変更されるまで設定番号保持部７５に保持される。
【００４５】
通信情報保持部７６は、使用者端末２００及び配送者端末３００のＩＰアドレス、電話番号、通話用アプリケーションのＩＤなどや、配送管理サーバ４００のＩＰアドレス及びＵＲＬなどや、荷物収納装置１００のＩＰアドレス及び位置情報などや、使用者の氏名、住所、電話番号など、通信のために必要な情報を保持する。
【００４６】
制御装置６０は、操作制御部６１、撮像制御部６２、施解錠制御部６３、登録部６４、荷受け制御部６５、集荷制御部６６、複数荷受け制御部６７、通話制御部６８、及び通知制御部６９を備える。これらの各ブロックは、ハードウェア的には、コンピュータのＣＰＵ・メモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００４７】
操作制御部６１は、操作表示ユニット４４に対する操作入力を受け付け、受け付けた操作入力にしたがって適切な手順を選択して実行する。操作制御部６１は、外扉３０が開かれたことがセンサ４８により検知されると、操作表示ユニット４４をオン状態に切り替え、操作者からの操作入力を受け付ける。操作制御部６１は、配送者及び使用者による荷物収納装置１００に対する処理を統括して制御し、操作入力に応じて適切な構成を選択して処理を実行させる。
【００４８】
撮像制御部６２は、撮像ユニット４２による撮像を制御する。撮像制御部６２は、基本的には、操作表示ユニット４４の「開始」ボタン又は「扉」ボタンが押された時に撮像ユニット４２に撮像を開始させ、外扉３０が閉じられたことがセンサ４８により検知された時に撮像ユニット４２による撮像を終了させるが、具体的な手順については後述する。
【００４９】
施解錠制御部６３は、第１錠前部２３による取出扉２２の施錠及び解錠と、第２錠前部２７による荷物扉２６の施錠及び解錠を制御する。施解錠制御部６３は、操作制御部６１が操作表示ユニット４４から取出扉２２又は荷物扉２６を開くための操作入力を受け付けたときに、取出扉２２又は荷物扉２６を解錠する。
【００５０】
登録部６４は、荷物収納装置１００の動作に必要な情報を登録するための制御を行う。登録部６４は、操作表示ユニット４４又は使用者端末２００から、設定番号、パスワード、使用者端末２００のＩＰアドレス、電話番号、又は通話用アプリケーションのＩＤ、使用者の住所や電話番号などの情報を受け付け、設定番号保持部７５又は通信情報保持部７６に受け付けた情報を登録する。
【００５１】
荷受け制御部６５は、配送者が配送物を荷物収納部５４に収納するための処理を制御する。集荷制御部６６は、配送者が荷物収納部５４に収納されている集荷物を集荷するための処理を制御する。複数荷受け制御部６７は、荷物収納部５４に配送物が収納されている時に、配送者が更に配送物を荷物収納部５４に収納するための処理を制御する。
【００５２】
通話制御部６８は、荷物収納装置１００の近傍にいる配送者と使用者との間の通話を制御する。通話制御部６８は、荷物収納装置１００の機能ユニット４０に設けられた通話用ボタンが押下されている間、マイク４３から入力された音声及び撮像ユニット４２により撮像された撮像画像を使用者端末２００に送信する。また、通話制御部６８は、使用者端末２００から受信した音声をスピーカ４１に出力する。
【００５３】
通知制御部６９は、荷物収納装置１００のステータス情報や撮像ユニット４２により撮像された画像などを使用者端末２００、配送者端末３００、又は配送管理サーバ４００、及び荷物収納装置１００に関する情報を管理する情報管理サーバに通知する。通知制御部６９は、通知が必要な事象が発生したときに、通信情報保持部７６から通知先の情報を読み出して、その通知先に情報を通知する。通知制御部６９は、例えば、荷物収納装置１００に配送物が配送されたときに、その旨と撮像画像を使用者端末２００に通知し、荷物収納装置１００に集荷物が収納されたときに、その旨を配送者端末３００に通知し、荷物収納装置１００のステータス情報が変更されたときに、ステータス情報を使用者端末２００、配送者端末３００、又は配送管理サーバ４００、及び情報管理サーバなどに通知する。
【００５４】
以上の構成の動作について、フローチャートを参照して以下に説明する。
【００５５】
図７は、第１の実施の形態に係る荷物管理方法の手順を示すフローチャートである。本図のフローチャートは、配送者が荷物収納装置１００を操作する場合の手順を示す。配送者が荷物収納装置１００の外扉３０を開けると、センサ４８が外扉３０が開かれたことを検知する（Ｓ１００）。操作制御部６１は、操作表示ユニット４４の電源をオンにして、「開始」ボタンと「扉」ボタンを点灯させる（Ｓ１０４）。
【００５６】
配送者が「開始」ボタンにタッチすると（Ｓ１０６）、操作制御部６１は、撮像制御部６２に、撮像ユニット４２による撮像を開始させ（Ｓ１０７）、ステータス保持部７１に保持されているステータス情報を参照して、実行すべき処理を選択する。ステータスが「荷物なし」である場合（Ｓ１０８のＹ）、荷受け制御部６５に荷受け処理を実行させる（Ｓ２００）。ステータスが「荷物なし」ではなく（Ｓ１０８のＮ）、「集荷待ち」である場合（Ｓ１１０のＹ）、集荷制御部６６に集荷処理を実行させる（Ｓ３００）。ステータスが「荷物なし」でも「集荷待ち」でもなく（Ｓ１１０のＮ）、「荷受け中」である場合（Ｓ１１２のＹ）、複数荷受け制御部６７に複数荷受け処理を実行させる（Ｓ４００）。ステータスが「荷物なし」でも「集荷待ち」でも「荷受け中」でもない場合（Ｓ１１２のＮ）、エラーが発生しているのでエラー処理を実行する（Ｓ１１４）。
【００５７】
選択された処理が終了し、配送者が外扉３０を閉めると、センサ４８が外扉が閉められたことを検知する（Ｓ１１６）。操作制御部６１は、撮像制御部６２に撮像ユニット４２による撮像を終了させる（Ｓ１１８）。
【００５８】
図８は、第１の実施の形態に係る荷物管理方法の手順を示すフローチャートである。本図のフローチャートは、使用者が荷物収納装置１００を操作する場合の手順を示す。使用者が荷物収納装置１００の外扉３０を開けると、センサ４８が外扉３０が開かれたことを検知する（Ｓ１２０）。操作制御部６１は、操作表示ユニット４４の電源をオンにして、「開始」ボタンと「扉」ボタンを点灯させる（Ｓ１２４）。ここまでは、図１０に示した手順と同様である。
【００５９】
使用者が「扉」ボタンにタッチすると（Ｓ１２６）、操作制御部６１は、撮像制御部６２に、撮像ユニット４２による撮像を開始させ（Ｓ１２７）、使用者を認証するための認証処理を実行する（Ｓ１３０）。認証に失敗した場合は、処理を終了する。認証に成功した場合、使用者は、荷物収納部５４に収納されている配送物を取り出し（Ｓ１５０）、又は、荷物収納部５４に集荷物を収納して（Ｓ１５２）、荷物扉２６を閉める（Ｓ１５４）。上述したように、配送者が「開始」ボタンをタッチして荷物扉２６を開いた場合には、荷物扉２６が閉じられた後に「確定」ボタンがタッチされてから荷物扉２６を施錠するが、使用者が「開始」ボタンをタッチして荷物扉２６を開いた場合には、荷物扉２６が閉じられたときに自動的に荷物扉２６を施錠する（Ｓ１５６）。第２錠前部２７は、荷物扉２６が閉じられたときに自動的に施錠される機構を有していてもよいし、センサ４８により荷物扉２６が閉じられたことが検知されたときに施解錠制御部６３が第２錠前部２７を施錠制御してもよい。
【００６０】
操作制御部６１は、荷物収納部５４に荷物が収納されているか否か、及び、使用者が「集荷」ボタンにタッチしたか否かに応じて、ステータス保持部７１のステータス情報を更新する（Ｓ１６０）。
【００６１】
図９は、図８に示したフローチャートにおけるステップＳ１３０の認証処理の詳細を示すフローチャートである。図８に示したように、使用者が「扉」ボタンにタッチして荷物扉２６を開ける場合には、必ず認証処理を実行するが、後述するように、配送者が「開始」ボタンにタッチして荷物扉２６を開ける場合にも、荷物収納部５４の中に集荷物が収納されている場合には、認証処理を実行する。使用者を認証する場合も、配送者を認証する場合も、手順は同じであるから、ここでは両者を「操作者」と総称して説明する。
【００６２】
操作制御部６１は、認証処理を開始するにあたって、操作表示ユニット４４の「番号」ボタンと「確定」ボタンを点灯させる（Ｓ１３２）。操作者は、「番号」ボタンを使用して設定番号又はパスワードを入力し（Ｓ１３４）、最後に「確定」ボタンをタッチする（Ｓ１３６）。操作制御部６１は、設定番号保持部７５を参照して、入力された番号が設定番号又はパスワードと一致するか否かを確認し、設定された番号が正しく入力された場合は（Ｓ１３８のＹ）、施解錠制御部６３に取出扉２２及び荷物扉２６を解錠させる（Ｓ１４２）。入力された番号が設定番号又はパスワードと一致しなかった場合は（Ｓ１３８のＮ）、スピーカ４１又は操作表示ユニット４４によりエラーを報知し（Ｓ１４０）、Ｓ１３２に戻る。
【００６３】
図１０は、図８に示したフローチャートにおけるステップＳ１６０のステータス更新処理の詳細を示すフローチャートである。ステータス更新処理は、使用者が荷物扉２６を開けて、荷物収納部５４から荷物を出し入れした後に、荷物収納装置１００のステータス情報を更新するものである。操作制御部６１は、荷物収納部５４に荷物が収納されていないことがセンサ４８により検知された場合（Ｓ１６２のＮ）、ステータス保持部７１のステータス情報を「荷物なし」に設定する（Ｓ１７４）。操作制御部６１は、荷物収納部５４に荷物が収納されていることがセンサ４８により検知された場合（Ｓ１６２のＹ）、「集荷」ボタンを点灯表示させる（Ｓ１６４）。使用者が「集荷」ボタンをタッチした場合は（Ｓ１６６、Ｓ１６８のＹ）、操作制御部６１は、ステータス保持部７１のステータス情報を「集荷待ち」に設定する（Ｓ１７０）。使用者が「集荷」ボタンをタッチせずに、外扉３０を閉めるか、所定時間が経過した場合は（Ｓ１６８のＮ）、荷物収納部５４に収納されている配送物を使用者が取り出さなかったか、荷物収納部５４に配送物でも集荷物でもない荷物を一時的に収納したと推測されるので、操作制御部６１は、配送者及び第三者が使用者の同意なく荷物扉２６を開くことができないようにするために、ステータス保持部７１のステータス情報を「荷受け中」に設定する（Ｓ１７２）。
【００６４】
図１１は、図７に示したフローチャートにおけるステップＳ２００の荷受け処理の詳細を示すフローチャートである。荷受け処理は、荷受け制御部６５により実行される。荷受け制御部６５は、操作表示ユニット４４の「確定」ボタンを点灯表示し（Ｓ２０２）、配送者が「確定」ボタンをタッチすると（Ｓ２０４）、施解錠制御部６３に荷物扉２６を解錠させる（Ｓ２０６）。配送者が荷物収納部５４に配送物を収納し（Ｓ２０８）、荷物扉２６を閉めると（Ｓ２１０）、荷受け制御部６５は、操作表示ユニット４４の「確定」ボタンを点灯表示する（Ｓ２１２）。配送者が「確定」ボタンをタッチすると（Ｓ２１６）、荷受け制御部６５は、施解錠制御部６３に荷物扉２６を施錠させ（Ｓ２１６）、ステータス保持部７１のステータス情報を「荷受け中」に設定する（Ｓ２１８）。
【００６５】
図１２は、第１の実施の形態に係る荷物管理方法の手順を示すフローチャートである。本図のフローチャートは、使用者が荷物収納装置１００に収納した集荷物の集荷を配送者に依頼するための手順を示す。まず、使用者は、使用者端末２００により配送管理サーバ４００にアクセスして、配送管理サーバ４００により提供されるサービスを享受するために、ユーザ登録を行う（Ｓ３５０）。使用者は、例えば、使用者の氏名、住所、連絡先、荷物収納装置１００の有無、荷物収納装置１００の識別情報などを配送管理サーバ４００に登録する。
【００６６】
使用者が集荷を依頼するとき、使用者端末２００により配送管理サーバ４００にログインし（Ｓ３６０）、配送管理サーバ４００により提供されるウェブページなどを介して、配送管理サーバ４００に集荷を依頼し（Ｓ３６２）、配送者が荷物扉２６を開けるときに使用するパスワードを設定する（Ｓ３６４）。配送管理サーバ４００は、配送者が集荷するために必要な情報、例えば、集荷を依頼した使用者の住所、氏名、集荷日時、集荷物の種類などを配送者端末３００に送信するとともに（Ｓ３６６）、使用者が設定したパスワードを配送者端末３００に送信する（Ｓ３６８）。配送者端末３００は、配送者を認証し（Ｓ３７０）、配送者が認証された場合は、集荷情報を表示装置に表示するとともに（Ｓ３７２）、使用者が設定したパスワードを表示装置に表示する（Ｓ３７４）。使用者が、図８に示した手順で集荷物を荷物収納部５４に収納すると、通知制御部６９が配送者端末３００にその旨を通知する。
【００６７】
図１３は、図７に示したフローチャートにおけるステップＳ３００の集荷処理の詳細を示すフローチャートである。集荷処理は、集荷制御部６６により実行される。集荷制御部６６は、配送者からパスワードの入力を受け付けて配送者を認証し（Ｓ１３０）、配送者が認証されると、施解錠制御部６３に荷物扉２６を解錠させる。配送者が荷物収納部５４から集荷物を取り出し（Ｓ３０２）、荷物扉２６を閉めると（Ｓ３０４）、集荷制御部６６は、操作表示ユニット４４の「確定」ボタンを点灯表示する（Ｓ３０６）。配送者が「確定」ボタンをタッチすると（Ｓ３０８）、施解錠制御部６３に荷物扉２６を施錠させ（Ｓ３１０）、ステータス保持部７１のステータス情報を「荷物なし」に設定する（Ｓ３１２）。このとき、荷物収納部５４に別の集荷物又は配送物が残っている場合は、ステータス情報を「集荷待ち」又は「荷受け中」に設定する。これにより、使用者は不在中にも集荷物を配送者に集荷してもらうことができるので、使用者の利便性を向上させることができる。また、配送管理サーバ４００を介してパスワードを配送者端末３００に伝達するので、集荷を依頼した配送者しか荷物扉２６を開けることができないようにすることができ、集荷物を不正に持ち出されるおそれを低減させることができる。
【００６８】
図１４は、図７に示したフローチャートにおけるステップＳ４００の複数荷受け処理の詳細を示すフローチャートである。複数荷受け処理は、複数荷受け制御部６７により実行される。複数荷受け制御部６７は、通信情報保持部７６から使用者端末２００を発呼するための情報を読み出し、通話制御部６８に使用者端末２００を発呼させる（Ｓ４０２）。使用者端末２００が応答すると（Ｓ４０４）、通話制御部６８が使用者端末２００との間のプレストーク方式の通話を制御する（Ｓ４０６）。配送者は、配送物を使用者に配送するために使用者の自宅を訪問しているが、荷物収納装置１００に既に配送物が収納されているため、配送物を収納することができない旨を伝える。使用者が、更なる配送のために荷物扉２６を解錠することに同意する場合は、使用者端末２００から荷物収納装置１００に荷物扉２６を解錠するよう指示し（Ｓ４０８）、複数荷受け制御部６７は、施解錠制御部６３に荷物扉２６を解錠させる（Ｓ４１０）。配送者が荷物収納部５４に配送物を収納し（Ｓ４１２）、荷物扉２６を閉めると（Ｓ４１４）、複数荷受け制御部６７は、操作表示ユニット４４の「確定」ボタンを点灯表示する（Ｓ４１６）。配送者が「確定」ボタンをタッチすると（Ｓ４１８）、複数荷受け制御部６７は、施解錠制御部６３に荷物扉２６を施錠させる（Ｓ４２０）。この場合、ステータス保持部７１のステータス情報は既に「荷受け中」に設定されているので、ステータス情報を更新する必要はない。これにより、使用者の不在中に複数の配送者から配送物が配送された場合であっても、それらの配送物を荷物収納装置１００に配送してもらうことができるので、使用者の利便性を向上させることができる。また、外出先においても、配送者との通話及び撮像画像により配送者を確認してから荷物扉２６を自らの指示で解錠することができるので、既に配送されていた配送物を不正に持ち出されるおそれを低減させることができる。
【００６９】
［第２の実施の形態］
図１５は、第２の実施の形態に係る配送管理システムの構成を示す。第２の実施の形態に係る配送管理システム１は、図１に示した第１の実施の形態の配送管理システム１の構成に加えて、製造者端末６００及び情報管理サーバ７００を更に備える。製造者端末６００は、荷物収納装置１００の製造者により使用される。情報管理サーバ７００は、荷物収納装置１００に関する情報を管理する。
【００７０】
荷物収納装置１００の製造者が荷物収納装置１００を製造すると、情報管理サーバ７００が荷物収納装置１００を識別するための識別情報を発行して装置情報データベースに登録しておくとともに、発行した識別情報を製造者端末６００に通知し、製造者が識別情報を含む二次元コードを印刷して荷物収納装置１００に貼付する。識別情報は、偽造することができないように、公開鍵暗号方式などの暗号化技術、チェックサムなどの誤り検出符号、改竄防止のためのハッシュ値などの技術を用いて発行される。これにより、荷物収納装置１００の真正性を担保することができる。
【００７１】
使用者は、荷物収納装置１００を購入して自宅に設置すると、荷物収納装置１００に貼付された二次元コードを使用者端末２００により読み取る。二次元コードには、荷物収納装置１００の識別情報に加えて、情報管理サーバ７００に荷物収納装置１００に関する情報を登録するためにアクセスすべきアクセス先を特定するためのアドレス情報が含まれている。使用者端末２００は、二次元コードに含まれるアドレス情報を用いて情報管理サーバ７００にアクセスし、荷物収納装置１００の識別情報及び設置位置を示す情報を送信する。情報管理サーバ７００は、使用者端末２００から荷物収納装置１００に関する情報を受け付けて、荷物収納装置１００の識別情報と対応付けて装置情報データベースに登録する。
【００７２】
配送者は、荷物収納装置１００が設置された使用者の自宅を訪問して荷物収納装置１００の設置状況などを確認し、荷物収納装置１００に貼付された二次元コードを配送者端末３００により読み取る。配送者端末３００は、二次元コードから読み取られた荷物収納装置１００の識別情報と、荷物収納装置１００の設置位置を示す情報を配送管理サーバ４００に送信する。配送管理サーバ４００は、荷物収納装置１００に関する情報を記録するとともに、情報管理サーバ７００へ送信する。情報管理サーバ７００は、配送管理サーバ４００から荷物収納装置１００に関する情報を受け付けて、装置情報データベースに登録されている情報と照合する。装置情報データベースに登録されている荷物収納装置１００に関する情報が認証されると、荷物収納装置１００の初期登録が完了し、以降、使用者は、第１の実施の形態の配送管理システム１により提供されるサービスを享受する。
【００７３】
このように、本実施の形態では、荷物収納装置１００が使用者の自宅に設置されていることを配送者が事前に確認してから、配送物の配送や集荷物の集荷などのサービスを提供するので、荷物収納装置１００が不正に使用されて荷物が窃取されるのを防ぐことができ、荷物収納装置１００のセキュリティ性及び信頼性を向上させることができる。
【００７４】
上述した初期登録と、設置された荷物収納装置１００の認証が完了すると、荷物収納装置１００が利用可能となり、配送者は、使用者が不在であっても、配送物を荷物収納装置１００に配送したり、集荷物を荷物収納装置１００から集荷したりすることができる。配送者は、荷物収納装置１００に配送物を配送すると、荷物収納装置１００に貼付された二次元コードを配送者端末３００により読み取って、配送管理サーバ４００へ送信する。配送管理サーバ４００は、配送者端末３００から受け付けた二次元コードに含まれる情報と、配送日時、配送担当者の情報などのログ情報を記録する。また、配送管理サーバ４００は、荷物収納装置１００から、荷物扉２６が開かれたことを示すステータス情報を受信して、ログ情報と対応付けて記録する。一般に、配送者が配送物を使用者に手渡す場合は、使用者の印章で受領証に押印してもらうことにより、配送が完了したことを記録しているが、本実施の形態では、二次元コードが配送者端末３００により読み取られたことを示すログ情報と、荷物収納装置１００の荷物扉２６が開かれたことを示すステータス情報の組が、使用者による押印に代えて、配送者が荷物収納装置１００に配送物を配送したことを示す配送記録としての機能を有する。これにより、荷物収納装置１００への配送物の配送を適切に管理し、誤配送を低減させることができる。同様に、集荷時には、荷物収納装置１００に貼付された二次元コードに含まれる情報を含むログ情報と、荷物収納装置１００の荷物扉２６が開かれたことを示すステータス情報の組が、集荷記録として配送管理サーバ４００に記録される。これにより、荷物収納装置１００からの集荷物の集荷を適切に管理し、集荷物の不正な持ち出しなどを低減させることができる。以降、配送記録と集荷記録を総称して、単に「配送記録」ともいう。
【００７５】
図１６は、第２の実施の形態に係る荷物収納装置１００の斜視図である。第２の実施の形態に係る荷物収納装置１００は、図２〜４に示した第１の実施の形態に係る荷物収納装置１００の構成に加えて、二次元コード５６を更に備える。二次元コード５６は、荷物収納装置１００を構成する部材に貼付される。本図の例では、荷物扉２６の内側に二次元コード５６が貼付されるが、二次元コード５６は、荷物扉２６の外側に貼付されてもよいし、外扉３０の内側又は外側に貼付されてもよいし、使用者端末２００及び配送者端末３００が読み取り可能な位置であれば、任意の位置に貼付されてもよい。荷物収納装置１００の不正な使用を防ぎ、配送者が配送物を荷物収納部５４に収納したことの記録として利用するためには、二次元コード５６を荷物扉２６の内側又は荷物収納部５４の内部に貼付することが好ましい。
【００７６】
二次元コード５６は、汚損などにより読み取りできない状態になることを防ぐために、透明なカバー又はコーティング材などにより覆われてもよい。二次元コード５６は、剥がされたり改竄されたりすることを防ぐために、剥がされた場合には剥がされたことが分かる機能を有する、いわゆるセキュリティシールに印刷されて貼付されてもよい。
【００７７】
図１７は、第２の実施の形態に係る製造者端末６００の機能構成を示す。製造者端末６００は、主に、通信装置６０２、入力装置６０４、表示装置６０６、制御装置６６０、及び記憶装置６７０を備える。製造者端末６００は、携帯電話端末、スマートフォン、パーソナルコンピュータなどにより実現されてもよい。
【００７８】
通信装置６０２は、インターネット２を介した他の装置との間の通信を制御する。通信装置６０２は、有線又は無線の任意の通信方式により通信を行ってもよい。入力装置６０４は、製造主体の担当者からの指示を制御装置６６０に入力する。表示装置６０６は、制御装置６６０により生成された表示画像を表示する。印刷装置６０８は、二次元コードをセキュリティシールに印刷する。記憶装置６７０は、制御装置６６０により使用されるプログラム、データなどを記憶する。
【００７９】
制御装置６６０は、二次元コード情報要求部６６１、二次元コード情報受信部６６２、及び二次元コード印刷部６６３を備える。これらの機能ブロックも、ハードウェア、ソフトウェアの組合せによっていろいろなかたちで実現できる。
【００８０】
二次元コード情報要求部６６１は、製造者により製造された荷物収納装置１００に貼付される二次元コードを生成するための情報を情報管理サーバ７００に要求する。二次元コードは、荷物収納装置１００の識別情報と、荷物収納装置１００に関する情報を登録するための情報管理サーバ７００のＵＲＩを含む。
【００８１】
二次元コード情報受信部６６２は、荷物収納装置１００に貼付される二次元コードを生成するための情報を情報管理サーバ７００から受信する。
【００８２】
二次元コード印刷部６６３は、二次元コード情報受信部６６２により受信された二次元コードを生成するための情報から二次元コードを生成し、印刷装置６０８によりセキュリティシールに印刷する。印刷されたセキュリティーシールは、荷物収納装置１００の製造工場において荷物収納装置１００に貼付される。二次元コード印刷部６６３は、荷物収納装置１００の取扱説明書に予備として添付される二次元コードを、印刷装置７０８によりカード状の用紙に印刷してもよい。
【００８３】
図１８は、第２の実施の形態に係る情報管理サーバ７００の機能構成を示す。情報管理サーバ７００は、主に、通信装置７０２、制御装置７６０、及び記憶装置７７０を備える。
【００８４】
通信装置７０２は、インターネット２を介した他の装置との間の通信を制御する。通信装置７０２は、有線又は無線の任意の通信方式により通信を行ってもよい。記憶装置７７０は、制御装置７６０により使用されるプログラム、データなどを記憶する。記憶装置７７０は、装置情報データベース７７１及び使用者情報データベース７７２を備える。
【００８５】
装置情報データベース７７１は、荷物収納装置１００に関する情報を格納する。装置情報データベース７７１には、例えば、荷物収納装置１００の識別情報、荷物収納装置１００の二次元コードに含まれる証明書又は暗号鍵などの情報、荷物収納装置１００の製造日、荷物収納装置１００の設置位置を示す情報、荷物収納装置１００の設置状況を示すステータス情報などが格納される。
【００８６】
使用者情報データベース７７２は、荷物収納装置１００の使用者に関する情報を格納する。使用者情報データベース７７２には、例えば、使用者の氏名、住所、電話番号、メールアドレスなどが格納される。
【００８７】
制御装置７６０は、二次元コード情報生成部７６１、装置情報登録部７６２、認証要求受付部７６３、認証部７６４、及びステータス管理部７６５を備える。これらの機能ブロックも、ハードウェア、ソフトウェアの組合せによっていろいろなかたちで実現できる。
【００８８】
二次元コード情報生成部７６１は、製造者端末６００から荷物収納装置１００に貼付される二次元コードを生成するための情報を要求されると、荷物収納装置１００の識別情報を発行し、二次元コードを生成するための情報を生成する。荷物収納装置１００の識別情報は、製造日やロット番号などに基づいて生成されてもよいし、所定の規則にしたがって生成されてもよいし、ランダムに生成されてもよい。荷物収納装置１００の識別情報は、公開鍵暗号方式などの暗号化技術により暗号化されて、二次元コードに含められる。二次元コードは、含まれるデータが正しいことを確認するためのチェックサムなどの誤り検出符号や、含まれるデータが改竄されていないことを確認するためのハッシュ値などを含んでもよい。二次元コード情報生成部７６１は、発行した荷物収納装置１００の識別情報を装置情報データベース７７１に登録する。
【００８９】
装置情報登録部７６２は、荷物収納装置１００を購入した使用者の使用者端末２００から、荷物収納装置１００の識別情報、荷物収納装置１００の設置位置を示す情報などを取得し、取得した荷物収納装置１００の識別情報が、装置情報データベース７７１に登録されているか確認する。登録されている場合は、荷物収納装置１００の設置位置を示す情報などを、荷物収納装置１００の識別情報に対応付けて装置情報データベース７７１に登録する。荷物収納装置１００の識別情報が装置情報データベース７７１に登録されていない場合は、使用者端末２００にエラーメッセージを送信する。
【００９０】
装置情報登録部７６２は、使用者端末２００から、更に、使用者の氏名、住所、電話番号、メールアドレスなどの情報を取得し、使用者情報データベース７７２に登録する。
【００９１】
認証要求受付部７６３は、配送管理サーバ４００から、荷物収納装置１００の認証の要求を受け付ける。認証要求受付部７６３は、配送管理サーバ４００から、認証すべき荷物収納装置１００の識別情報、荷物収納装置１００の設置位置を示す情報などを取得する。
【００９２】
認証部７６４は、認証要求受付部７６３が取得した荷物収納装置１００の識別情報を装置情報データベース７７１から検索し、荷物収納装置１００の識別情報と対応付けて格納されている設置位置を示す情報と、認証要求受付部７６３が取得した設置位置を示す情報とが合致するか照合する。合致していた場合は、荷物収納装置１００の設置が認証されたことを配送管理サーバ４００へ回答するとともに、装置情報データベース７７１のステータス情報が、荷物収納装置１００が利用可能であることを示す情報ではない場合は、荷物収納装置１００が利用可能であることを示す情報に更新する。合致しなかった場合は、配送管理サーバ４００へエラーメッセージを送信する。このとき、荷物収納装置１００の使用者の使用者端末２００にエラーメッセージを送信してもよい。
【００９３】
ステータス管理部７６５は、荷物収納装置１００のステータスを管理する。ステータス管理部７６５は、所定のタイミングで荷物収納装置１００の設置状況を確認し、装置情報データベース７７１のステータス情報を更新する。ステータス管理部７６５は、例えば、荷物収納装置１００と通信して荷物収納装置１００の設置状況を示す情報を取得することにより荷物収納装置１００の設置状況を確認してもよいし、配送管理サーバ４００から荷物収納装置１００の認証を要求されたときに取得した荷物収納装置１００に関する情報に基づいて荷物収納装置１００の設置状況を確認してもよい。
【００９４】
ステータス管理部７６５は、例えば、荷物収納装置１００の位置を示す情報と、荷物収納装置１００の使用者の住所との間の距離が所定値以上離れている場合に、荷物収納装置１００が移動されたと判定し、荷物収納装置１００のステータス情報を利用不可とするとともに、荷物収納装置１００又は使用者端末２００に荷物収納装置１００の設置状況を確認する。荷物収納装置１００が使用者の自宅に正しく設置されていることが確認された場合は、荷物収納装置１００のステータス情報を再び利用可能に戻す。
【００９５】
ステータス管理部７６５は、装置情報データベース７７１のステータス情報を更新したときに、配送管理サーバ４００へステータス情報の更新を通知してもよい。ステータス管理部７６５は、所定のタイミング、例えば所定の間隔で定期的に、装置情報データベース７７１のステータス情報を一括して配送管理サーバ４００へ送信してもよい。
【００９６】
情報管理サーバ７００が荷物収納装置１００の製造主体により運用される場合、情報管理サーバ７００と製造者端末６００とは同一の装置により実装されてもよい。二次元コードの印刷は、製造者端末６００とは別の装置により実行されてもよい。この場合、製造者端末６００により生成された二次元コードは、通信手段又は記憶装置などを介して、二次元コードを印刷する装置に提供されてもよい。
【００９７】
図１９は、第２の実施の形態に係る配送管理サーバ４００の機能構成を示す。配送管理サーバ４００は、主に、通信装置４０２、制御装置４６０、及び記憶装置４７０を備える。
【００９８】
通信装置４０２は、インターネット２を介した他の装置との間の通信を制御する。通信装置４０２は、有線又は無線の任意の通信方式により通信を行ってもよい。記憶装置４７０は、制御装置４６０により使用されるプログラム、データなどを記憶する。記憶装置４７０は、使用者情報データベース４７１、装置情報データベース４７２、及び配送記録保持部４７３を備える。
【００９９】
使用者情報データベース４７１は、荷物収納装置１００の使用者に関する情報を格納する。使用者情報データベース４７１には、例えば、使用者の氏名、住所、電話番号など、荷物の配送及び集荷に必要な情報、使用者のＩＤ、パスワードなど、使用者端末２００が配送管理サーバ４００にアクセスするために必要な情報、使用者の年齢、性別、職業、メールアドレスなど、使用者の個人情報が格納される。
【０１００】
装置情報データベース４７２は、荷物収納装置１００に関する情報を格納する。装置情報データベース４７２には、例えば、荷物収納装置１００の識別情報、荷物収納装置１００の二次元コードに含まれる証明書又は暗号鍵などの情報、荷物収納装置１００の製造日、荷物収納装置１００の設置位置を示す情報、荷物収納装置１００の設置状況を示すステータス情報などが格納される。
【０１０１】
配送記録保持部４７３は、配送者が配送物を荷物収納装置１００に配送した記録を保持する。配送記録は、例えば、配送先の住所、氏名、電話番号、配送物の種類、配送先の荷物収納装置１００の識別情報、配送日時、配送担当者などの情報を含むログ情報と、荷物収納装置１００の荷物扉２６が開かれたことを示すステータス情報の組である。
【０１０２】
制御装置４６０は、使用者情報登録部４６１、ログイン処理部４６２、集荷依頼受付部４６３、集荷依頼送信部４６４、解錠操作送信部４６５、送信票情報送信部４６６、装置情報受付部４６７、認証要求部４６８、配送記録受付部４６９、配送記録登録部４８０、を備える。これらの機能ブロックも、ハードウェア、ソフトウェアの組合せによっていろいろなかたちで実現できる。
【０１０３】
使用者情報登録部４６１は、使用者端末２００から使用者に関する情報を取得し、使用者情報データベース４７１に登録する。
【０１０４】
ログイン処理部４６２は、使用者端末２００から配送管理サーバ４００へのログイン要求を受け付けると、使用者のＩＤ及びパスワードの入力を要求し、使用者情報データベース４７１を参照して、入力されたＩＤ及びパスワードの正誤を確認する。正しいＩＤ及びパスワードが入力された場合は、使用者端末２００のログインを許可する。誤ったＩＤ又はパスワードが入力された場合は、使用者端末２００にエラーメッセージを送信し、ログインを許可しない。
【０１０５】
集荷依頼受付部４６３は、ログインに成功した使用者端末２００から、荷物の集荷の依頼を受け付ける。集荷依頼受付部４６３は、集荷依頼を受け付けるためのウェブページを提供し、集荷場所、集荷日時、集荷物の種類、重量、サイズ、荷物扉２６を解錠するためのパスワード、集荷物を収納する荷物収納装置１００の識別情報、情報管理サーバに荷物収納装置１００の情報を登録して荷物収納装置１００の利用が開始されたか否かを示すステータス情報、集荷物に貼付される送信票に記載すべき情報などを受け付ける。使用者が以前に設定したパスワードが今回の集荷においても使用される場合には、パスワードは受け付けなくてもよい。
【０１０６】
集荷依頼送信部４６４は、集荷を担当する配送者の配送者端末３００に、集荷依頼を送信する。集荷依頼送信部４６４は、集荷を依頼した使用者の氏名、住所、電話番号、集荷日時などを配送者端末３００へ送信する。
【０１０７】
解錠操作送信部４６５は、配送者が集荷物を集荷するときに、荷物収納装置１００の荷物扉２６を解錠するための操作として、使用者により設定されたパスワードを配送者端末３００へ送信する。
【０１０８】
送信票情報送信部４６６は、集荷物に貼付される送信票に記載すべき情報を配送者端末３００へ送信する。送信元の氏名、住所、電話番号などの情報は、使用者情報データベース４７１から読み出して配送者端末３００へ送信する。
【０１０９】
装置情報受付部４６７は、新たに使用者により設置された荷物収納装置１００の設置状況を確認するために使用者の自宅を訪問した配送者の配送者端末３００から、配送者端末３００により読み取られた荷物収納装置１００の二次元コードに含まれる情報と、荷物収納装置１００の設置位置を示す情報を受け付ける。
【０１１０】
認証要求部４６８は、装置情報受付部４６７により受け付けられた荷物収納装置１００の情報を情報管理サーバ７００に送信し、荷物収納装置１００の認証を要求する。装置情報受付部４６７が受け付けた荷物収納装置１００の識別情報が、装置情報データベース４７２に未登録である場合は、初期登録に必要な荷物収納装置１００の認証が完了していないので、認証要求部４６８は、荷物収納装置１００が情報管理サーバ７００により認証されると、荷物収納装置１００の情報を装置情報データベース４７２に登録する。
【０１１１】
配送記録受付部４６９は、荷物収納装置１００に配送物を配送した配送者、又は、荷物収納装置１００から集荷物を集荷した配送者の配送者端末３００からログ情報を受け付けるとともに、荷物収納装置１００から荷物扉２６が開かれたことを示すステータス情報を受け付ける。配送記録受付部４６９は、配送者端末３００から、配送先の住所、氏名、電話番号、配送物の種類、配送先の荷物収納装置１００の識別情報、配送日時、配送担当者などの情報をログ情報として受け付ける。配送記録受付部４６９は、配送者端末３００により撮像された荷物収納装置１００の二次元コードをログ情報として受け付けてもよい。
【０１１２】
配送記録受付部４６９がログ情報を受け付けると、認証要求部４６８は、荷物収納装置１００の認証を情報管理サーバ７００に要求する。荷物収納装置１００が情報管理サーバ７００により認証された場合は、配送記録登録部４８０は、ログ情報とステータス情報の組である配送記録を配送記録保持部４７３に登録する。二次元コードに含まれる情報を含むログ情報を記録しておくことで、配送者が荷物収納装置１００にアクセスしたことが証明されるとともに、荷物収納装置１００の荷物扉２６が開いたことを示すステータス情報を記録しておくことで、配送者が荷物収納装置１００の荷物扉２６を開くことができたことが証明されるので、配送記録の信頼性をより高めることができる。第１の実施の形態では、荷受け時には配送者はパスワードを入力することなく荷物扉２６を開くことができるが、後述するように、荷受け時にも配送者がパスワードを入力しないと荷物扉２６を開くことができないようにする場合には、ステータス情報を記録しておくことで、荷受け時にも配送者が正しく荷物扉２６を開くことができたことを証明することができ、配送管理システム全体のセキュリティ性を向上させることができる。荷物収納装置１００が情報管理サーバ７００により認証されなかった場合は、配送記録受付部４６９は、配送者が荷物収納装置１００に配送物を配送しないようにするために、荷物収納装置１００が認証されたなかったことを配送者端末３００に通知する。これにより、不正な荷物収納装置１００に配送物を配送するのを防ぐことができる。荷物収納装置１００が情報管理サーバ７００により認証された場合に、配送記録受付部４６９が受け付けた荷物収納装置１００に関する情報が装置情報データベース４７２に格納されている情報とは異なる場合には、配送記録登録部４８０は、装置情報データベース４７２を最新の情報に更新する。
【０１１３】
上記の例では、装置情報受付部４６７が配送者端末３００から荷物収納装置１００の情報を受け付けるたびに、認証要求部４６８が荷物収納装置１００の認証を情報管理サーバ７００に要求したが、別の例では、装置情報データベース４７２の内容が所定のタイミングで情報管理サーバ７００の装置情報データベース７７１と同期され、配送管理サーバ４００は装置情報データベース４７２を参照して自ら荷物収納装置１００を認証してもよい。この場合は、配送管理サーバ４００は、認証要求部４６８に代えて、荷物収納装置１００を認証する認証部と、装置情報データベース４７２のデータを所定のタイミングで情報管理サーバ７００の装置情報データベース７７１に同期させる同期制御部とを備えてもよい。
【０１１４】
図２０は、第２の実施の形態に係る使用者端末２００の構成を示す。第２の実施の形態に係る使用者端末２００は、主に、通信装置２０２、入力装置２０４、表示装置２０６、マイク２０８、スピーカ２１０、ＧＰＳ受信機２２０、撮像装置２２２、制御装置２６０、及び記憶装置２７０を備える。使用者端末２００は、携帯電話端末、スマートフォン、パーソナルコンピュータなどにより実現されてもよい。
【０１１５】
通信装置２０２は、インターネット２を介した他の装置との間の通信を制御する。通信装置２０２は、有線又は無線の任意の通信方式により通信を行ってもよい。入力装置２０４は、使用者からの指示を制御装置２６０に入力する。表示装置２０６は、制御装置２６０により生成された表示画像を表示する。マイク２０８は、音声を入力し、スピーカ２１０は、音声を出力する。記憶装置２７０は、制御装置２６０により使用されるプログラム、データなどを記憶する。
【０１１６】
ＧＰＳ受信機２２０は、ＧＰＳ衛星から信号を受信する。撮像装置２２２は、使用者端末２００の周囲の画像を撮像する。
【０１１７】
制御装置２６０は、通知表示部２６１、情報登録部２６２、集荷依頼送信部２６３、送信票情報送信部２６４、解錠操作送信部２６５、解錠許可送信部２６６、通話制御部２６７、位置情報取得部２６８、二次元コード解析部２６９、及びブラウザ２８０を備える。これらの機能ブロックも、ハードウェア、ソフトウェアの組合せによっていろいろなかたちで実現できる。
【０１１８】
通知表示部２６１は、荷物収納装置１００から通知された情報を表示装置２０６に表示する。通知表示部２６１は、荷物収納装置１００の撮像ユニット４２により撮像された画像や、荷物収納装置１００のステータス情報などを表示装置２０６に表示する。
【０１１９】
情報登録部２６２は、荷物収納装置１００や配送管理サーバ４００などに使用者に関する情報などを登録する。情報登録部２６２は、使用者の氏名、住所、電話番号などの情報の入力を入力装置２０４から受け付け、荷物収納装置１００や配送管理サーバ４００などに送信する。また、情報登録部２６２は、集荷物を集荷する配送者が荷物収納装置１００の荷物扉２６を解錠するために使用するパスワードの入力を入力装置２０４から受け付け、荷物収納装置１００に登録する。
【０１２０】
集荷依頼送信部２６３は、配送者に集荷物の集荷を依頼する旨を配送管理サーバ４００に送信する。使用者は、荷物収納装置１００に収納した集荷物の集荷を配送者に依頼する際には、事前準備として、集荷依頼送信部２６３により配送管理サーバへ集荷依頼を送信するとともに、荷物収納装置１００に集荷物を収納して集荷待ちの状態とする必要がある。集荷依頼送信部２６３は、集荷場所、集荷日時、集荷物の種類、重量、サイズ、荷物扉２６を解錠するためのパスワード、集荷物を収納する荷物収納装置１００の識別情報、情報管理サーバに荷物収納装置１００の情報を登録して荷物収納装置１００の利用が開始されたか否かを示すステータス情報などを配送管理サーバ４００へ送信する。
【０１２１】
送信票情報送信部２６４は、配送者に集荷を依頼した集荷物に貼付される送信票に記載すべき情報を配送管理サーバ４００に送信する。送信票に記載すべき情報は、例えば、配送先の氏名、住所、電話番号、集荷物の種類、サイズ、重量などの情報である。送信元の氏名、住所、電話番号などの情報は、情報登録部２６２から配送管理サーバ４００へ事前に登録されているので、変更がない限り、集荷を依頼するたびに送信する必要はない。
【０１２２】
解錠操作送信部２６５は、集荷を依頼された配送者が荷物収納装置１００から集荷物を取り出す際に、荷物扉２６を解錠するための操作を配送管理サーバ４００に送信する。本実施の形態では、荷物扉２６を解錠するための操作として、パスワードが設定される。解錠操作送信部２６５は、使用者により設定されたパスワードを配送管理サーバ４００に送信するとともに、情報登録部２６２により荷物収納装置１００にパスワードを登録する。
【０１２３】
解錠許可送信部２６６は、後述するように、配送者が配送物を荷物収納装置１００に収納する際に、既に別の配送物が荷物収納装置１００に収納されていて荷物扉２６を開くことができないときに、配送者との間で通話した使用者が荷物扉２６の解錠を許可する場合には、荷物扉２６の解錠を許可する旨を荷物収納装置１００に送信する。
【０１２４】
通話制御部２６７は、荷物収納装置１００との間のプレストーク方式の通話を制御する。通話制御部２６７は、荷物収納装置１００から受信した音声をスピーカ２１０に出力するとともに、画像を表示装置２０６に表示する。また、マイク２０８から入力された音声を荷物収納装置１００に送信する。
【０１２５】
位置情報取得部２６８は、ＧＰＳ受信機２２０が受信した信号に基づいて現在位置を算出し、現在位置を示す情報を出力する。
【０１２６】
二次元コード解析部２６９は、撮像装置２２２により撮像された二次元コードを解析し、二次元コードに含まれるデータを読み取る。ブラウザ２８０は、ＨＴＴＰによりウェブサーバからウェブページなどのデータを取得し、表示装置２０６に表示する。
【０１２７】
使用者は、荷物収納装置１００を購入して自宅に設置すると、取扱説明書に記載された手順にしたがって、荷物収納装置１００に貼付された二次元コード５６を撮像装置２２２により撮像する。二次元コード解析部２６９は、二次元コード５６に含まれる荷物収納装置１００の識別情報及びアドレス情報を読み取る。ブラウザ２８０は、二次元コード解析部２６９により読み取られたアドレス情報により特定されるＵＲＩにアクセスし、情報管理サーバ７００の装置情報登録部７６２により提供されるウェブページを表示装置２０６に表示する。
【０１２８】
ブラウザ２８０は、装置情報登録部７６２により提供されるウェブページにおいて実行されるスクリプト又はアプリケーションを介して、二次元コード解析部２６９により読み取られた荷物収納装置１００の識別情報、位置情報取得部２６８により取得された現在位置を示す情報を情報管理サーバ７００へ送信する。
【０１２９】
ブラウザ２８０により実行されるスクリプト又はアプリケーションは、配送管理サーバ４００にアクセスし、荷物収納装置１００の認証を要求してもよい。
【０１３０】
このように、本実施の形態では、荷物収納装置１００に貼付された二次元コードに、荷物収納装置１００に関する情報を登録するためにアクセスすべきアクセス先を特定するためのアドレス情報が含まれているので、一般的なブラウザ２８０によりアクセス先にアクセスして、荷物収納装置１００に関する情報を登録することができる。これにより、荷物収納装置１００に関する情報を登録するための専用のアプリケーションなどを使用者端末２００にインストールすることなく、荷物収納装置１００に関する情報を情報管理サーバ７００に登録することができるので、使用者の利便性を向上させることができる。別の例では、荷物収納装置１００に関する情報を登録するためのアプリケーションなどを介して、荷物収納装置１００に関する情報を情報管理サーバ７００に登録してもよい。
【０１３１】
図２１は、第２の実施の形態に係る配送者端末３００の構成を示す。第２の実施の形態に係る配送者端末３００は、主に、通信装置３０２、入力装置３０４、表示装置３０６、印刷装置３０８、ＧＰＳ受信機３２０、撮像装置３２２、制御装置３６０、及び記憶装置３７０を備える。配送者端末３００は、携帯電話端末、スマートフォンなどにより実現されてもよい。
【０１３２】
通信装置３０２は、インターネット２を介した他の装置との間の通信を制御する。通信装置３０２は、有線又は無線の任意の通信方式により通信を行ってもよい。入力装置３０４は、配送者からの指示を制御装置３６０に入力する。表示装置３０６は、制御装置３６０により生成された表示画像を表示する。印刷装置３０８は、送信票や受領証などを印刷する。記憶装置３７０は、制御装置３６０により使用されるプログラム、データなどを記憶する。
【０１３３】
ＧＰＳ受信機３２０は、ＧＰＳ衛星から信号を受信する。撮像装置３２２は、配送者端末３００の周囲の画像を撮像する。
【０１３４】
制御装置３６０は、配送者認証部３６１、通知表示部３６２、集荷依頼受信部３６３、解錠操作受信部３６４、解錠操作提示部３６５、送信票情報受信部３６６、送信票出力部３６７、位置情報取得部３６８、二次元コード解析部３６９、装置情報送信部３８０、及びログ情報送信部３８１を備える。これらの機能ブロックも、ハードウェア、ソフトウェアの組合せによっていろいろなかたちで実現できる。
【０１３５】
配送者認証部３６１は、配送者端末３００を使用する配送者を認証する。配送者端末３００には、使用者の個人情報や、荷物収納装置１００の荷物扉２６を解錠するためのパスワードなどが表示されるので、第三者により不正に操作されないように認証する。配送者認証部３６１は、既知の任意の方式により配送者を認証してもよい。配送者が認証されると、配送者端末３００が使用可能となる。
【０１３６】
通知表示部３６２は、荷物収納装置１００から通知された情報を表示装置３０６に表示する。通知表示部３６２は、荷物収納装置１００のステータス情報などを表示装置３０６に表示する。
【０１３７】
集荷依頼受信部３６３は、使用者による集荷依頼を配送管理サーバ４００から受信する。集荷依頼受信部３６３は、配送者が集荷物を集荷するために必要な情報、例えば、使用者の氏名、住所、電話番号、集荷日時、集荷場所、集荷物の種類、重量、サイズなどを配送管理サーバ４００から受信する。
【０１３８】
解錠操作受信部３６４は、配送者が集荷物を集荷するときに、荷物収納装置１００の荷物扉２６を解錠するための操作を配送管理サーバ４００から受信する。解錠操作受信部３６４は、使用者により設定されたパスワードを配送管理サーバ４００から受信する。
【０１３９】
解錠操作提示部３６５は、解錠操作受信部３６４により受信されたパスワードを表示装置３０６に表示する。配送者は、表示装置３０６に表示されたパスワードを荷物収納装置１００の操作表示ユニット４４に入力して荷物扉２６を解錠する。
【０１４０】
送信票情報受信部３６６は、集荷物に貼付される送信票に記載すべき情報を配送管理サーバ４００から受信する。送信票出力部３６７は、送信票情報受信部３６６により受信された情報を記載した送信票を印刷装置３０８から出力する。これにより、使用者が不在であっても集荷物に送信票を貼付して集荷することができるので、使用者の利便性を向上させることができる。
【０１４１】
位置情報取得部３６８は、ＧＰＳ受信機３２０が受信した信号に基づいて現在位置を算出し、現在位置を示す情報を出力する。
【０１４２】
二次元コード解析部３６９は、撮像装置３２２により撮像された二次元コードを解析し、二次元コードに含まれるデータを読み取る。
【０１４３】
装置情報送信部３８０は、荷物収納装置１００に関する情報を配送管理サーバ４００に送信する。配送者は、荷物収納装置１００の使用者から荷物収納装置１００の認証を要求されると、使用者の自宅を訪問し、荷物収納装置１００が正しく設置されているか確認する。荷物収納装置１００が正しく設置されていることが確認されると、配送者は、荷物収納装置１００に貼付されている二次元コード５６を撮像装置３２２により撮像する。二次元コード解析部３６９は、二次元コード５６に含まれる荷物収納装置１００の識別情報を読み取る。装置情報送信部３８０は、二次元コード解析部３６９により読み取られた荷物収納装置１００の識別情報と、位置情報取得部３６８により取得された現在位置を示す情報を配送管理サーバ４００へ送信する。
【０１４４】
ログ情報送信部３８１は、荷物収納装置１００に配送物を配送したときや、荷物収納装置１００から集荷物を集荷したときに、配送記録を配送管理サーバ４００へ送信する。配送者は、荷物収納装置１００に配送物を収納するか、荷物収納装置１００から集荷物を取り出すと、荷物収納装置１００に貼付されている二次元コード５６を撮像装置３２２により撮像する。二次元コード解析部３６９は、二次元コード５６に含まれる荷物収納装置１００の識別情報を読み取る。ログ情報送信部３８１は、二次元コード解析部３６９により読み取られた荷物収納装置１００の識別情報と、配送先の住所、氏名、電話番号、配送物の種類、配送日時、配送担当者などの情報をログ情報として配送管理サーバ４００へ送信する。
【０１４５】
装置情報送信部３８０及びログ情報送信部３８１は、荷物収納装置１００の識別情報に代えて、二次元コードを情報管理サーバ７００又は配送管理サーバ４００へ送信してもよい。この場合、配送者端末３００は、二次元コード解析部３６９を備えなくてもよい。
【０１４６】
図２２は、第２の実施の形態に係る荷物管理方法の手順を示すフローチャートである。本図のフローチャートは、荷物収納装置１００の製造者が荷物収納装置１００を製造する手順を示す。製造者は、荷物収納装置１００を製造すると（Ｓ５００）、製造した荷物収納装置１００に貼付する二次元コードを生成するための情報を情報管理サーバ７００に要求する（Ｓ５０２）。情報管理サーバ７００は、製造された荷物収納装置１００の識別情報を発行し（Ｓ５０４）、二次元コードを生成するための情報を生成して（Ｓ５０６）、装置情報データベース７７１に登録し（Ｓ５０８）、製造者端末６００へ送信する（Ｓ５０９）。製造者は、情報管理サーバ７００から受信した情報から二次元コードを生成し、生成された二次元コードを印刷する（Ｓ５１０）。印刷された二次元コードは、荷物収納装置１００に貼付される（Ｓ５１２）。
【０１４７】
図２３は、第２の実施の形態に係る荷物管理方法の手順を示すフローチャートである。本図のフローチャートは、荷物収納装置１００の使用者が初期登録を行う手順を示す。荷物収納装置１００を購入した使用者は、荷物収納装置１００を自宅に設置すると、荷物収納装置１００に貼付されている二次元コードを使用者端末２００により撮像する（Ｓ６００）。使用者端末２００は、撮像された二次元コードを解析して、二次元コードに含まれる荷物収納装置１００の識別情報と情報管理サーバ７００のＵＲＩを読み取る（Ｓ６０２）。また、使用者端末２００は、現在位置を示す情報を取得する（Ｓ６０４）。使用者端末２００は、二次元コードから読み出されたＵＲＩにアクセスし（Ｓ６０６）、荷物収納装置１００の識別情報を情報管理サーバ７００へ送信するとともに（Ｓ６０８）、荷物収納装置１００の設置位置を示す情報などの装置情報を情報管理サーバ７００へ送信する（Ｓ６１０）。情報管理サーバ７００は、受信した荷物収納装置１００の識別情報が装置情報データベース７７１に登録されているか確認し（Ｓ６１２）、登録されていれば、受信した装置情報を荷物収納装置１００の識別情報に対応付けて装置情報データベース７７１に登録する（Ｓ６１４）。別の例では、荷物収納装置１００に関する情報を登録するためのアプリケーションなどを介して、荷物収納装置１００に関する情報を情報管理サーバ７００に登録してもよい。
【０１４８】
図２４は、第２の実施の形態に係る荷物管理方法の手順を示すフローチャートである。本図のフローチャートは、配送者が荷物収納装置１００を認証する手順を示す。配送者は、荷物収納装置１００を自宅に設置した使用者から荷物収納装置１００の認証を要求されると、担当者が使用者の自宅を訪問して、荷物収納装置１００に貼付されている二次元コードを配送者端末３００により撮像する（Ｓ７００）。配送者端末３００は、撮像された二次元コードを解析して、二次元コードに含まれる荷物収納装置１００の識別情報を読み取る（Ｓ７０２）。また、配送者端末３００は、現在位置を示す情報を取得する（Ｓ７０４）。配送者端末３００は、荷物収納装置１００の識別情報を配送管理サーバ４００へ送信するとともに（Ｓ７０８）、荷物収納装置１００の設置位置を示す情報などの装置情報を配送管理サーバ４００へ送信する（Ｓ７１０）。配送管理サーバ４００は、配送者端末３００から受信した荷物収納装置１００の識別情報及び装置情報を情報管理サーバ７００へ送信して、荷物収納装置１００の認証を要求する（Ｓ７１２）。情報管理サーバ７００は、荷物収納装置１００を認証し（Ｓ７１４）、認証された場合は、荷物収納装置１００のステータス情報を利用可能に更新する（Ｓ７１６）。情報管理サーバ７００は、配送管理サーバ４００に認証結果を通知し（Ｓ７１６）、配送管理サーバ４００は、荷物収納装置１００が認証された場合は、荷物収納装置１００の装置情報を装置情報データベース４７２に登録する（Ｓ７２０）。
【０１４９】
図２５は、第２の実施の形態に係る荷物管理方法の手順を示すフローチャートである。本図のフローチャートは、配送者が荷物収納装置１００に配送物を配送する手順を示す。配送者は、配送先の使用者が不在であった場合、荷物収納装置１００に配送物を配送可能であるか確認するために、荷物収納装置１００に貼付されている二次元コードを配送者端末３００により撮像する（Ｓ８００）。配送者端末３００は、撮像された二次元コードを解析して、二次元コードに含まれる荷物収納装置１００の識別情報を読み取る（Ｓ８０２）。また、配送者端末３００は、現在位置を示す情報を取得する（Ｓ８０４）。配送者端末３００は、荷物収納装置１００の識別情報を配送管理サーバ４００へ送信するとともに（Ｓ８０８）、荷物収納装置１００の設置位置を示す情報などの装置情報を配送管理サーバ４００へ送信する（Ｓ８１０）。配送管理サーバ４００は、配送者端末３００から受信した荷物収納装置１００の識別情報及び装置情報を情報管理サーバ７００へ送信して、荷物収納装置１００の認証を要求する（Ｓ８１２）。情報管理サーバ７００は、荷物収納装置１００を認証し（Ｓ８１４）、配送管理サーバ４００に認証結果を通知する（Ｓ８１８）。配送管理サーバ４００は、情報管理サーバ７００から通知された認証結果を配送者端末３００に通知する（Ｓ８２０）。荷物収納装置１００が認証された場合は、配送者は配送物を荷物収納装置１００に収納し（Ｓ８２２）、ログ情報を配送管理サーバ４００へ送信する（Ｓ８２４）。荷物収納装置１００は、荷物扉２６が開かれたことを示すステータス情報を配送管理サーバ４００へ送信する（Ｓ８２５）。配送管理サーバ４００は、配送者端末３００から受信したログ情報と、荷物収納装置１００から受信したステータス情報の組を配送記録として配送記録保持部４７３に登録する（Ｓ８２６）。配送者が荷物収納装置１００から集荷物を集荷する場合も同様である。
【０１５０】
第１の実施の形態では、荷受け時には配送者が「開始」ボタンと「確定」ボタンを押下すると荷物扉２６が開かれたが、別の例では、荷受け時にも集荷時と同様に配送者がパスワードを入力しないと荷物扉２６を開かないようにしてもよい。この場合、パスワードは、使用者が使用者端末２００により設定してもよいし、配送管理サーバ４００により設定されてもよいし、使用者が購入した商品を使用者に発送する販売業者などにより設定されてもよい。販売業者がパスワードを設定する場合、設定されたパスワードは、配送管理サーバ４００を介して配送者端末３００に通知され、使用者端末２００にも通知されるとともに、情報管理サーバ７００を介して、又は、直接、荷物収納装置１００に通知されて設定番号保持部７５に設定される。この場合も、配送者端末３００により荷物収納装置１００に貼付された二次元コードが読み取られたことを示すログ情報と、配送者が荷物収納装置１００にパスワードを入力して荷物扉２６を開くことができたことを示すステータス情報が、配送記録として配送管理サーバ４００に記録される。これにより、セキュリティ性を確保しつつ、使用者の利便性を向上させることができる。
【０１５１】
本実施の形態の技術によれば、荷物収納装置の製造主体が荷物収納装置の識別情報を発行し、識別情報を偽造や改竄ができない態様で含む二次元コードを出荷前に荷物収納装置に貼付するとともに、情報管理サーバに予め識別情報を登録しておくので、荷物収納装置の真正性及び信頼性を担保することができる。また、安価な二次元コードを用いて、使用者が安心して使用可能で、配送者が安心して荷物を配送可能な荷物収納装置を提供することができるので、荷物収納装置の製造コストを抑え、荷物収納装置の普及を促進することができる。
【０１５２】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【０１５３】
実施の形態では、荷物収納装置の識別情報を二次元コードに格納したが、別の例では、画像に電子透かしなどの形式で格納してもよいし、ＲＦタグなどの通信可能な素子に格納してもよい。
【０１５４】
図１６では、荷物扉２６の内側に二次元コード５６が貼付される例を示したが、上述したように、二次元コード５６は、荷物扉２６の外側や、外扉３０の内側又は外側や、ボックス本体１０の外側など、荷物扉２６を解錠しなくても読み取れる位置に貼付されてもよい。この場合、配送者は、荷物扉２６が施錠されていたとしても、配送者端末３００により二次元コードを読み取って、配送先が正しいことを確認したり、荷物扉２６を解錠するためのパスワードを確認したりすることができる。
【０１５５】
実施の形態では、荷物収納装置に二次元コードを貼付する例を説明したが、本実施の形態の技術は、荷物収納装置以外の製品にも適用可能である。例えば、家具や建材などの製品に、製品を識別するための識別情報と、アクセスすべきアクセス先を特定するためのアドレス情報とを含む二次元コードを貼付してもよい。この場合、アクセス先は、製品に関する情報を登録するためのウェブページなどであってもよいし、製品の購入や利用などに関する支払を決済するための決済サイトなどであってもよい。
【０１５６】
以上の実施形態、変形例により具体化される発明を一般化すると、以下の技術的思想が導かれる。
【０１５７】
本発明のある態様の荷物収納装置は、荷物を収納する荷物収納装置であって、荷物を収納するための収納部と、収納部に荷物を出し入れするための開口を開閉する開閉部と、荷物収納装置に貼付された二次元コードと、を備える。二次元コードは、荷物収納装置を識別するための識別情報と、荷物収納装置に関する情報を管理する情報管理サーバに荷物収納装置に関する情報を登録するためにアクセスすべきアクセス先を特定するためのアドレス情報とを含む。
【０１５８】
この態様によると、荷物収納装置の真正性及び信頼性を担保し、荷物収納装置のセキュリティ性を向上させることができる。
【０１５９】
二次元コードは、開閉部の内側に貼付されてもよい。この態様によると、二次元コードが汚損したり、毀損又は改竄されたり、不正に複製されたりすることを防ぐことができ、荷物収納装置のセキュリティ性を向上させることができる。
【０１６０】
開閉部を施錠するための錠前部と、開閉部を開くための操作を受け付けるための操作部と、開閉部を開くための操作を行う人を撮像する撮像装置と、錠前部の施錠及び解錠を制御する制御部と、少なくとも操作部又は撮像装置を覆う外扉と、を更に備えてもよい。二次元コードは、外扉の内側に貼付されてもよい。この態様によると、二次元コードが汚損したり、毀損又は改竄されたり、不正に複製されたりすることを防ぐことができ、荷物収納装置のセキュリティ性を向上させることができる。
【０１６１】
開閉部を施錠するための錠前部と、開閉部を開くための操作を受け付けるための操作部と、錠前部の施錠及び解錠を制御する制御部と、を更に備え、二次元コードは、開閉部が施錠されていても読み取れる位置に貼付されてもよい。この態様によると、開閉部が施錠されていたとしても、配送者が二次元コードを読み取って、配送先が正しいことを確認したり、開閉部を解錠するためのパスワードを確認したりすることができる。
【０１６２】
本発明の別の態様は、管理システムに関する。この管理システムは、荷物収納装置と、情報管理サーバと、荷物収納装置の使用者の端末と、を備える。使用者の端末は、二次元コードを撮像するための使用者端末撮像装置と、使用者端末撮像装置により撮像された二次元コードに含まれる情報を読み取る解析部と、解析部により読み取られたアドレス情報により特定されるアクセス先にアクセスするための使用者端末通信部と、荷物収納装置に関する情報をアクセス先に送信する情報送信部と、を備える。情報管理サーバは、複数の荷物収納装置をそれぞれ識別するための複数の識別情報を格納するデータベースと、使用者の端末から使用者が使用する荷物収納装置に関する情報を受け付ける受付部と、受付部により受け付けられた荷物収納装置に関する情報を、荷物収納装置を識別するための識別情報に対応付けてデータベースに登録する登録部と、を備える。
【０１６３】
この態様によると、荷物収納装置の真正性及び信頼性を担保し、荷物収納装置のセキュリティ性を向上させることができる。
【０１６４】
荷物収納装置へ荷物を配送する配送者の端末を更に備えてもよい。配送者の端末は、二次元コードを撮像するための配送者端末撮像装置と、配送者端末撮像装置により撮像された、配送先の荷物収納装置の二次元コード、又は、二次元コードから読み取られた情報を情報管理サーバへ送信して、荷物収納装置の認証を要求する認証要求部と、を備えてもよい。情報管理サーバは、荷物収納装置の認証の要求を受け付ける認証要求受付部と、二次元コードから読み取られた情報をデータベースに照会して荷物収納装置を認証し、認証の結果を回答する認証部と、を備えてもよい。この態様によると、荷物収納装置の使用者の利便性を向上させることができる。
【０１６５】
荷物収納装置への荷物の配送を管理する配送管理サーバを更に備えてもよい。配送者の端末は、配送者の端末は、荷物収納装置に荷物を配送したときに、配送者端末撮像装置により撮像された荷物収納装置の二次元コード、又は、二次元コードから読み取られた情報をログ情報として配送管理サーバへ送信する配送記録送信部を更に備え、配送管理サーバは、ログ情報を含む配送記録を保持する配送記録保持部と、配送者の端末から受信したログ情報を配送記録保持部に登録する配送記録登録部と、を備えてもよい。この態様によると、荷物の配送者及び荷物収納装置の使用者の利便性を向上させることができる。
【０１６６】
配送記録登録部は、荷物収納装置から受信した、開閉部が開かれたことを示すステータス情報と、ログ情報との組を、配送記録として配送記録保持部に登録してもよい。この態様によると、配送記録の信頼性を向上させることができる。
【０１６７】
本発明の別の態様は、二次元コードである。この二次元コードは、製品に貼付される二次元コードであって、製品を識別するための識別情報と、製品に関する情報を管理する情報管理サーバに製品に関する情報を登録するためにアクセスすべきアクセス先を特定するためのアドレス情報とを含む。
【０１６８】
この態様によると、製品の真正性及び信頼性を担保し、製品のセキュリティ性を向上させることができる。また、製品の購入者の利便性を向上させることができる。
【０１６９】
本発明の更に別の態様は、製品である。この製品は、上記の二次元コードが貼付されたことを特徴とする。
【０１７０】
この態様によると、製品の真正性及び信頼性を担保し、製品のセキュリティ性を向上させることができる。また、製品の購入者の利便性を向上させることができる。
【符号の説明】
【０１７１】
１  配送管理システム、２２  取出扉、２３  第１錠前部、２６  荷物扉、２７  第２錠前部、３０  外扉、４０  機能ユニット、４１  スピーカ、４２  撮像ユニット、４３  マイク、４４  操作表示ユニット、４７  通信装置、４８  センサ、５２  投函物収納部、５４  荷物収納部、６０  制御装置、６１  操作制御部、６２  撮像制御部、６３  施解錠制御部、６４  登録部、６５  荷受け制御部、６６  集荷制御部、６７  複数荷受け制御部、６８  通話制御部、６９  通知制御部、７０  記憶装置、７１  ステータス保持部、７２  撮像画像保持部、７５  設定番号保持部、７６  通信情報保持部、１００  荷物収納装置、２００  使用者端末、２２０  ＧＰＳ受信機、２２２  撮像装置、２６１  通知表示部、２６２  情報登録部、２６３  集荷依頼送信部、２６４  送信票情報送信部、２６５  解錠操作送信部、２６６  解錠許可送信部、２６７  通話制御部、２６８  位置情報取得部、２６９  二次元コード解析部、２８０  ブラウザ、３００  配送者端末、３２０  ＧＰＳ受信機、３２２  撮像装置、３６１  配送者認証部、３６２  通知表示部、３６３  集荷依頼受信部、３６４  解錠操作受信部、３６５  解錠操作提示部、３６６  送信票情報受信部、３６７  送信票出力部、３６８  位置情報取得部、３６９  二次元コード解析部、３８０  装置情報送信部、３８１  ログ情報送信部、４００  配送管理サーバ、４６１  使用者情報登録部、４６２  ログイン処理部、４６３  集荷依頼受付部、４６４  集荷依頼送信部、４６５  解錠操作送信部、４６６  送信票情報送信部、４６７  装置情報受付部、４６８  認証要求部、４６９  配送記録受付部、４７１  使用者情報データベース、４７２  装置情報データベース、４７３  配送記録保持部、４８０  配送記録登録部、６００  製造者端末、６６１  二次元コード情報要求部、６６２  二次元コード情報受信部、６６３  二次元コード印刷部、７００  情報管理サーバ、７６１  二次元コード情報生成部、７６２  装置情報登録部、７６３  認証要求受付部、７６４  認証部、７６５  ステータス管理部、７７１  装置情報データベース、７７２  使用者情報データベース。
【図１】
2020018539.tif 000003
【図２】
2020018539.tif 000004
【図３】
2020018539.tif 000005
【図４】
2020018539.tif 000006
【図５】
2020018539.tif 000007
【図６】
2020018539.tif 000008
【図７】
2020018539.tif 000009
【図８】
2020018539.tif 000010
【図９】
2020018539.tif 000011
【図１０】
2020018539.tif 000012
【図１１】
2020018539.tif 000013
【図１２】
2020018539.tif 000014
【図１３】
2020018539.tif 000015
【図１４】
2020018539.tif 000016
【図１５】
2020018539.tif 000017
【図１６】
2020018539.tif 000018
【図１７】
2020018539.tif 000019
【図１８】
2020018539.tif 000020
【図１９】
2020018539.tif 000021
【図２０】
2020018539.tif 000022
【図２１】
2020018539.tif 000023
【図２２】
2020018539.tif 000024
【図２３】
2020018539.tif 000025
【図２４】
2020018539.tif 000026
【図２５】
2020018539.tif 000027